(57)【要約】  自車両は、外部装置と通信する通信装置と、自車両の周辺状態を検出する検出部と、検出部により検出された前記自車両の周辺状態に基づいて、自車両の速度制御または操舵制御において少なくとも一部を自動的に行う運転支援を実行する運転支援制御部と、検出部により検出された自車両の周辺状態の情報のうち、運転支援における制御に変化を与える環境情報を抽出する抽出部と、抽出部により抽出された環境情報を、通信部を用いて外部装置に送信する通信制御部と、を備える。
2017179209.tif 000002
【特許請求の範囲】
【請求項１】
外部装置と通信する通信部と、
自車両の周辺状態を検出する検出部と、
前記検出部により検出された前記自車両の周辺状態に基づいて、前記自車両の速度制御または操舵制御において少なくとも一部を自動的に行う運転支援を実行する運転支援制御部と、
前記検出部により検出された前記自車両の周辺状態の情報のうち、前記運転支援における制御に変化を与える環境情報を抽出する抽出部と、
前記抽出部により抽出された前記環境情報を、前記通信部を用いて外部装置に送信する通信制御部と、
を備える、車両制御システム。
【請求項２】
前記通信制御部は、前記通信部を用いて、前記自車両が走行する道路に関連する前記環境情報を前記外部装置に要求し、
前記運転支援制御部は、前記通信部により前記要求に対して返信され前記通信部により受信された環境情報に基づいて、前記運転支援の制御計画を変更する、
請求項１に記載の車両制御システム。
【請求項３】
前記外部装置は、複数の車両から前記環境情報を受信し、
前記通信部は、前記外部装置から前記環境情報および前記環境情報の更新回数を受信し、
前記運転支援制御部は、前記通信部により受信された前記環境情報の更新回数が閾値以上である場合に前記環境情報に基づいて前記運転支援を実行し、前記通信部により受信された前記環境情報の更新回数が閾値未満である場合に前記環境情報を用いることなしに前記自車両の周辺情報に基づいて前記運転支援を実行する、
請求項２に記載の車両制御システム。
【請求項４】
前記通信部は、前記外部装置から前記環境情報および前記環境情報の検出時刻を受信し、
前記運転支援制御部は、前記通信部により受信された環境情報の検出時刻からの経過時間が閾値未満である場合に前記環境情報に基づいて前記運転支援を実行し、前記通信部により受信された環境情報の検出時刻からの経過時間が閾値以上である場合に前記環境情報を用いることなしに前記自車両の周辺情報に基づいて前記運転支援を実行する、
請求項２に記載の車両制御システム。
【請求項５】
前記検出部の故障を検出する故障検出部を更に備え、
前記抽出部は、前記故障検出部により前記検出部の故障が検出された場合、故障が検出された前記検出部により検出された情報を、前記環境情報から除外する、
請求項１に記載の車両制御システム。
【請求項６】
前記抽出部は、前記環境情報の抽出回数を計数し、
前記運転支援制御部は、前記抽出部により計数された前記環境情報の抽出回数が閾値以上である場合に前記環境情報に基づいて前記運転支援を実行し、前記抽出部により計数された環境情報の抽出回数が閾値未満である場合に前記環境情報を用いることなしに前記自車両の周辺情報に基づいて前記運転支援を実行する、
請求項１に記載の車両制御システム。
【請求項７】
前記運転支援制御部は、前記環境情報の検出時刻からの経過時間が閾値未満である場合に前記環境情報に基づいて前記運転支援を実行し、前記環境情報の検出時刻からの経過時間が閾値以上である場合に前記環境情報を用いることなしに前記自車両の周辺情報に基づいて前記運転支援を実行する、
請求項１に記載の車両制御システム。
【請求項８】
前記外部装置は、他車両に搭載され、
前記通信制御部は、前記自車両に後続して走行する後続車両に前記環境情報を送信する、
請求項１に記載の車両制御システム。
【請求項９】
前記通信制御部は、前記自車両よりも先行して走行する先行車両から環境情報を受信し、
前記運転支援制御部は、前記先行車両から受信した環境情報に基づいて、前記運転支援を実行する、
請求項１に記載の車両制御システム。
【請求項１０】
前記検出部は、自車両周辺の道路を撮像する撮像部を含み、
前記運転支援制御部は、前記撮像部により撮像された画像に基づく道路区画線の有無に基づいて前記運転支援を行い、
前記抽出部は、前記撮像部により撮像された画像に基づいて道路区画線の状態を判定し、前記環境情報として前記道路区画線の状態を抽出する、
請求項１に記載の車両制御システム。
【請求項１１】
前記検出部は、前記自車両の外部から差し込む光の明るさを検出し、
前記運転支援制御部は、前記検出部により検出された前記光の明るさに基づき、前記運転支援を実行し、
前記抽出部は、前記環境情報として前記光の明るさの情報を抽出する、
請求項１に記載の車両制御システム。
【請求項１２】
前記運転支援制御部は、前記自車両が走行する道路に関連する前記環境情報の検出時刻からの経過時間についての第１の閾値を、前記自車両の外部から差し込む光の明るさに関連する前記環境情報の検出時刻からの経過時間についての第２の閾値によりも大きく設定する、
請求項７に記載の車両制御システム。
【請求項１３】
車載コンピュータが、
自車両の周辺状態を検出する検出部により検出された前記自車両の周辺状態に基づいて、前記自車両の速度制御または操舵制御において少なくとも一部を自動的に行う運転支援を実行し、
前記検出部により検出された前記自車両の周辺状態の情報のうち、前記運転支援における制御に変化を与える環境情報を抽出し、
抽出した前記環境情報を、外部装置に送信する、
車両制御方法。
【請求項１４】
車載コンピュータに、
自車両の周辺状態を検出する検出部により検出された前記自車両の周辺状態に基づいて、前記自車両の速度制御または操舵制御において少なくとも一部を自動的に行う運転支援を実行させ、
前記検出部により検出された前記自車両の周辺状態の情報のうち、前記運転支援における制御に変化を与える環境情報を抽出させ、
抽出した前記環境情報を、外部装置に送信させる、
プログラム。
【発明の詳細な説明】
【技術分野】
【０００１】
本発明の実施形態は、車両制御システム、車両制御方法、および車両制御プログラムに関する。
【背景技術】
【０００２】
近年、目的地までの経路に沿って自車両が走行するように、自車両の加減速と操舵とのうち、少なくとも一方を自動的に制御する技術について研究が進められている。（例えば、特許文献１参照）。これに関連して、従来、走行路を撮影する車載カメラから得られた画像を画像処理することによって、道路上の白線等の走行区分線を検出して、車両を走行区分線に沿って走行させることが知られている（例えば、特許文献２参照）。
【先行技術文献】
【特許文献】
【０００３】
【特許文献１】特開平９−１６１１９６号公報
【特許文献２】特開２００１−１０５１９公報
【発明の概要】
【発明が解決しようとする課題】
【０００４】
しかしながら、例えば、自車両が走行している走行区分線が掠れていて認識できないなど、運転支援に必要な情報が周辺から取得できない場合、運転支援を終了させる、または運転支援や自動運転の度合を下げるなどの対処が必要な場合があった。【０００５】
本発明は、このような事情を考慮してなされたものであり、走行環境の変化に対応した運転支援を実行することができる車両制御システム、車両制御方法、および車両制御プログラムを提供することを目的の一つとする。
【課題を解決するための手段】
【０００６】
請求項１に記載の発明は、外部装置と通信する通信部（５５）と、自車両の周辺状態を検出する検出部（ＤＤ）と、前記検出部により検出された前記自車両の周辺状態に基づいて、前記自車両の速度制御または操舵制御において少なくとも一部を自動的に行う運転支援を実行する運転支援制御部（１２０）と、前記検出部により検出された前記自車両の周辺状態の情報のうち、前記運転支援における制御に変化を与える環境情報を抽出する抽出部（１３５）と、前記抽出部により抽出された前記環境情報を、前記通信部を用いて外部装置に送信する通信制御部（１９０）と、を備える車両制御システム（１００）である。【０００７】
請求項２に記載の発明は、請求項１に記載の車両制御システムにおいて、前記通信制御部は、前記通信部を用いて、前記自車両が走行する道路に関連する前記環境情報を前記外部装置に要求し、前記運転支援制御部は、前記通信部により前記要求に対して返信され前記通信部により受信された環境情報に基づいて、前記運転支援の制御計画を変更するものである。【０００８】
請求項３に記載の発明は、請求項２に記載の車両制御システムにおいて、前記外部装置は、複数の車両から前記環境情報を受信し、前記通信部は、前記外部装置から前記環境情報および前記環境情報の更新回数を受信し、前記運転支援制御部は、前記通信部により受信された前記環境情報の更新回数が閾値以上である場合に前記環境情報に基づいて前記運転支援を実行し、前記通信部により受信された前記環境情報の更新回数が閾値未満である場合に前記環境情報を用いることなしに前記自車両の周辺情報に基づいて前記運転支援を実行するものである。【０００９】
請求項４に記載の発明は、請求項２に記載の車両制御システムにおいて、前記通信部は、前記外部装置から前記環境情報および前記環境情報の検出時刻を受信し、前記運転支援制御部は、前記通信部により受信された環境情報の検出時刻からの経過時間が閾値未満である場合に前記環境情報に基づいて前記運転支援を実行し、前記通信部により受信された環境情報の検出時刻からの経過時間が閾値以上である場合に前記環境情報を用いることなしに前記自車両の周辺情報に基づいて前記運転支援を実行するものである。【００１０】
請求項５に記載の発明は、請求項１に記載の車両制御システムにおいて、前記検出部の故障を検出する故障検出部を更に備え、前記抽出部は、前記故障検出部により前記検出部の故障が検出された場合、故障が検出された前記検出部により検出された情報を、前記環境情報から除外するものである。【００１１】
請求項６に記載の発明は、請求項１に記載の車両制御システムにおいて、前記抽出部は、前記環境情報の抽出回数を計数し、前記運転支援制御部は、前記抽出部により計数された前記環境情報の抽出回数が閾値以上である場合に前記環境情報に基づいて前記運転支援を実行し、前記抽出部により計数された環境情報の抽出回数が閾値未満である場合に前記環境情報を用いることなしに前記自車両の周辺情報に基づいて前記運転支援を実行するものである。【００１２】
請求項７に記載の発明は、請求項１に記載の車両制御システムにおいて、前記運転支援制御部は、前記環境情報の検出時刻からの経過時間が閾値未満である場合に前記環境情報に基づいて前記運転支援を実行し、前記環境情報の検出時刻からの経過時間が閾値以上である場合に前記環境情報を用いることなしに前記自車両の周辺情報に基づいて前記運転支援を実行するものである。【００１３】
請求項８に記載の発明は、請求項１に記載の車両制御システムにおいて、前記外部装置は、他車両に搭載され、前記通信部制御部は、前記自車両が走行する道路を、前記他車両のうち前記自車両に後続して走行する後続車両に前記環境情報を送信するものである。【００１４】
請求項９に記載の発明は、請求項１に記載の車両制御システムにおいて、前記通信制御部は、前記自車両よりも先行して走行する先行車両から環境情報を受信し、前記運転支援制御部は、前記先行車両から受信した環境情報に基づいて、前記運転支援を実行するものである。【００１５】
請求項１０に記載の発明は、請求項１に記載の車両制御システムにおいて、前記検出部は、自車両周辺の道路を撮像する撮像部を含み、前記運転支援制御部は、前記撮像部により撮像された画像に基づく道路区画線の有無に基づいて運転支援を行い、前記抽出部は、前記撮像部により撮像された画像に基づいて道路区画線の状態を判定し、前記環境情報として前記道路区画線の状態を抽出するものである。【００１６】
請求項１１に記載の発明は、請求項１に記載の車両制御システムにおいて、前記検出部は、前記自車両の外部から差し込む光の明るさを検出し、前記運転支援制御部は、前記検出部により検出された前記光の明るさに基づき、前記運転支援を実行し、前記抽出部は、前記環境情報として前記光の明るさの情報を抽出するものである。【００１７】
請求項１２に記載の発明は、請求項７に記載の車両制御システムにおいて、前記運転支援制御部は、前記自車両が走行する道路に関連する前記環境情報の検出時刻からの経過時間についての第１の閾値を、前記自車両の外部から差し込む光の明るさに関連する前記環境情報の検出時刻からの経過時間についての第２の閾値によりも大きく設定する、ものである。【００１８】
請求項１３に記載の発明は、車載コンピュータが、自車両の周辺状態を検出する検出部により検出された前記自車両の周辺状態に基づいて、前記自車両の速度制御または操舵制御において少なくとも一部を自動的に行う運転支援を実行し、前記検出部により検出された前記自車両の周辺状態の情報のうち、前記運転支援における制御に変化を与える環境情報を抽出し、抽出した前記環境情報を、外部装置に送信する、車両制御方法である。【００１９】
請求項１４に記載の発明は車載コンピュータに、自車両の周辺状態を検出する検出部により検出された前記自車両の周辺状態に基づいて、前記自車両の速度制御または操舵制御において少なくとも一部を自動的に行う運転支援を実行させ、前記検出部により検出された前記自車両の周辺状態の情報のうち、前記運転支援における制御に変化を与える環境情報を抽出させ、抽出した前記環境情報を、外部装置に送信させる、プログラムである。
【発明の効果】
【００２０】
請求項１、１３、および１４に記載の発明によれば、自車両の周辺状態の情報のうち、運転支援における制御に変化を与える環境情報を抽出した環境情報を外部装置に送信するので、走行環境の変化に対応した運転支援を実行させることができる。【００２１】
請求項２に記載の発明によれば、環境情報を外部装置に要求し、要求に対して返信された環境情報に基づいて運転支援の制御計画を変更するので、走行環境の変化に対応した自動運転を実行することができる。【００２２】
請求項３、４、６、７、および１２に記載の発明によれば、運転支援の実行に用いる環境情報を選択することができるので、信頼性の高い環境情報を用いて運転支援を実行することができる。【００２３】
請求項５に記載の発明によれば、故障が検出された検出部により検出された情報を環境情報から除外するので、環境に関連する情報を外部装置に送信することができ、環境の変化に関係のない情報を外部装置に送信することを抑制することができる。【００２４】
請求項８、９に記載の発明によれば、自車両に後続して走行する後続車両に環境情報を送信するので、走行環境の変化に対応した運転支援を後続車両に実行させることができる。【００２５】
請求項１０に記載の発明によれば、環境情報として道路区画線の状態を抽出するので、道路区画線の変化に対応した運転支援を実行させることができる。【００２６】
請求項１１に記載の発明によれば、環境情報として光の明るさの変化を抽出するので、自車両に差し込む光の明るさの変化に対応した運転支援を実行させることができる。
【図面の簡単な説明】
【００２７】
【図１】自車両Ｍの構成要素を示す図である。
【図２】第１の実施形態におけるサーバ装置３００と自車両Ｍとの関係の一例を示す図である。
【図３】第１の実施形態における環境情報３３２の一例を示す図である。
【図４】車両制御システム１００を中心とした機能構成図である。自車両Ｍの機能構成図である。
【図５】ＨＭＩ７０の構成図である。
【図６】自車位置認識部１４０により走行車線Ｌ１に対する自車両Ｍの相対位置が認識される様子を示す図である。
【図７】ある区間について生成された自動運転における行動計画の一例を示す図である。
【図８】軌道生成部１４６の構成の一例を示す図である。
【図９】軌道候補生成部１４６Ｂにより生成される軌道の候補の一例を示す図である。
【図１０】軌道候補生成部１４６Ｂにより生成される軌道の候補を軌道点Ｋで表現した図である。
【図１１】車線変更ターゲット位置ＴＡを示す図である。
【図１２】３台の周辺車両の速度を一定と仮定した場合の速度生成モデルを示す図である。
【図１３】第１の実施形態において、抽出部１３５を中心とした構成の一例を示す図である。
【図１４】第１の実施形態において環境情報１８８をサーバ装置３００に送信する流れの一例を示すフローチャートである。
【図１５】自車両Ｍが走行する道路の白線ＷＬ１〜ＷＬ４のうち、自車両Ｍが走行する車線の左側の白線ＷＬ１が消失している様子を示す図である。
【図１６】第１の実施形態において、サーバ装置３００から受信した環境情報に基づいて自車両Ｍの行動を変更する流れの一例を示すフローチャートである。
【図１７】第２の実施形態の車両制御システム１００の処理の流れの一例を示すフローチャートである。
【図１８】第３の実施形態において、先行車両ｍ１から後続車両ｍ２に環境情報ＥＩを送信する様子を示す図である。
【図１９】先行車両ｍ１の車両制御システム１００における処理の流れの一例を示すフローチャートである。
【図２０】後続車両ｍ２の車両制御システム１００における処理の流れの一例を示すフローチャートである。
【発明を実施するための形態】
【００２８】
以下、図面を参照し、本発明の車両制御システム、車両制御方法、および車両制御プログラムの実施形態について説明する。
＜共通構成＞
図１は、各実施形態の車両制御システム１００が搭載される車両（以下、自車両Ｍと称する）の構成要素を示す図である。車両制御システム１００が搭載される車両は、例えば、二輪や三輪、四輪等の自動車であり、ディーゼルエンジンやガソリンエンジン等の内燃機関を動力源とした自動車や、電動機を動力源とした電気自動車、内燃機関および電動機を兼ね備えたハイブリッド自動車等を含む。電気自動車は、例えば、二次電池、水素燃料電池、金属燃料電池、アルコール燃料電池等の電池により放電される電力を使用して駆動される。
【００２９】
図１に示すように、自車両Ｍには、ファインダ２０−１から２０−７、レーダ３０−１から３０−６、カメラ４０等のセンサと、ナビゲーション装置５０と、車両制御システム１００とが搭載される。
【００３０】
ファインダ２０−１から２０−７は、例えば、照射光に対する散乱光を測定し、対象までの距離を測定するＬＩＤＡＲ（Light Detection and Ranging、或いはLaser Imaging Detection and Ranging）である。例えば、ファインダ２０−１は、フロントグリル等に取り付けられ、ファインダ２０−２および２０−３は、車体の側面やドアミラー、前照灯内部、側方灯付近等に取り付けられる。ファインダ２０−４は、トランクリッド等に取り付けられ、ファインダ２０−５および２０−６は、車体の側面や尾灯内部等に取り付けられる。上述したファインダ２０−１から２０−６は、例えば、水平方向に関して１５０度程度の検出領域を有している。また、ファインダ２０−７は、ルーフ等に取り付けられる。ファインダ２０−７は、例えば、水平方向に関して３６０度の検出領域を有している。
【００３１】
レーダ３０−１および３０−４は、例えば、奥行き方向の検出領域が他のレーダよりも広い長距離ミリ波レーダである。また、レーダ３０−２、３０−３、３０−５、３０−６は、レーダ３０−１および３０−４よりも奥行き方向の検出領域が狭い中距離ミリ波レーダである。
【００３２】
以下、ファインダ２０−１から２０−７を特段区別しない場合は、単に「ファインダ２０」と記載し、レーダ３０−１から３０−６を特段区別しない場合は、単に「レーダ３０」と記載する。レーダ３０は、例えば、ＦＭ−ＣＷ（Frequency Modulated Continuous Wave）方式によって物体を検出する。
【００３３】
カメラ４０は、例えば、ＣＣＤ（Charge Coupled Device）やＣＭＯＳ（Complementary Metal Oxide Semiconductor）等の個体撮像素子を利用したデジタルカメラである。カメラ４０は、フロントウインドシールド上部やルームミラー裏面等に取り付けられる。カメラ４０は、例えば、周期的に繰り返し自車両Ｍの前方を撮像する。カメラ４０は、複数のカメラを含むステレオカメラであってもよい。
【００３４】
なお、図１に示す構成はあくまで一例であり、構成の一部が省略されてもよいし、更に別の構成が追加されてもよい。
【００３５】
＜第１の実施形態＞
図２は、第１の実施形態におけるサーバ装置３００と自車両Ｍとの関係の一例を示す図である。サーバ装置３００は、車両制御システム１００に対する外部装置の一例である。サーバ装置３００と、複数の自車両Ｍの車両制御システム１００とは、ネットワークＮＷを介して環境情報の送受信を行う。ネットワークＮＷは、例えば、無線基地局、通信回線、およびインターネットなどを含む。環境情報は、自車両Ｍのファインダ２０、レーダ３０、またはカメラ４０などの検知デバイスにより検出された自車両Ｍの周辺の状態を表す情報を含む。
【００３６】
サーバ装置３００は、例えば、サーバ制御部３１０と、サーバ通信部３２０と、サーバ記憶部３３０とを含む。
【００３７】
サーバ制御部３１０は、ＣＰＵ（Central Processing Unit）などのプロセッサがプログラムを実行することにより実現される。サーバ制御部３１０は、複数の自車両Ｍのそれぞれに搭載された車両制御システム１００から環境情報ＩＥ（Ｔ）を受信した場合に、受信した環境情報をサーバ記憶部３３０に記憶させる。また、サーバ制御部３１０は、車両制御システム１００から環境情報の要求を受信した場合、要求に応じて環境情報３３２を読み出して、読み出した環境情報ＥＩ（Ｒ）を車両制御システム１００に返信する。
【００３８】
サーバ通信部３２０は、通信処理を実行する通信インターフェース回路である。サーバ通信部３２０は、車両制御システム１００から送信された環境情報ＥＩ（Ｔ）を受信した場合に、環境情報をサーバ制御部３１０に供給する。また、サーバ通信部３２０は、車両制御システム１００から環境情報の要求を受信した場合に、要求をサーバ制御部３１０に供給する。サーバ通信部３２０は、要求に返信するための環境情報３３２がサーバ制御部３１０から供給された場合、環境情報３３２を環境情報ＥＩ（Ｒ）として車両制御システム１００に送信する。
【００３９】
サーバ記憶部３３０は、ＲＯＭ（Read Only Memory）やＲＡＭ（Random Access Memory）、ＨＤＤ（Hard Disk Drive）、フラッシュメモリ等で実現される。サーバ記憶部３３０は、環境情報３３２を記憶している。プロセッサが実行するプログラムは、予めサーバ記憶部３３０に格納されていてもよい。図３は、第１の実施形態における環境情報３３２の一例を示す図である。環境情報３３２は、各自車両Ｍの周辺状態に、地点、検出日時、および受信回数が対応付けられている。なお、環境情報３３２、自車両Ｍの周辺状態に、地点、検出日時、および受信回数を対応付けてよいが、これに限定されず、自車両Ｍ周辺状態に地点のみを対応付けてよく、自車両Ｍの周辺状態および地点に対して検出日時および受信回数の一方のみを対応付けてもよい。
【００４０】
図４は、第１の実施形態に係る車両制御システム１００を中心とした機能構成図である。自車両Ｍには、ファインダ２０、レーダ３０、およびカメラ４０などを含む検知デバイスＤＤと、ナビゲーション装置５０と、通信装置５５と、車両センサ６０と、ＨＭＩ（Human Machine Interface）７０と、車両制御システム１００と、走行駆動力出力装置２００と、ステアリング装置２１０と、ブレーキ装置２２０とが搭載される。これらの装置や機器は、ＣＡＮ（Controller Area Network）通信線等の多重通信線やシリアル通信線、無線通信網等によって互いに接続される。なお、特許請求の範囲における車両制御システムは、「車両制御システム１００」のみを指しているのではなく、車両制御システム１００以外の構成（検知部ＤＤやＨＭＩ７０など）を含んでもよい。
【００４１】
ナビゲーション装置５０は、ＧＮＳＳ（Global Navigation Satellite System）受信機や地図情報（ナビ地図）、ユーザインターフェースとして機能するタッチパネル式表示装置、スピーカ、マイク等を有する。ナビゲーション装置５０は、ＧＮＳＳ受信機によって自車両Ｍの位置を特定し、その位置からユーザによって指定された目的地までの経路を導出する。ナビゲーション装置５０により導出された経路は、車両制御システム１００の目標車線決定部１１０に提供される。自車両Ｍの位置は、車両センサ６０の出力を利用したＩＮＳ（Inertial Navigation System）によって特定または補完されてもよい。また、ナビゲーション装置５０は、車両制御システム１００が手動運転モードを実行している際に、目的地に至る経路について音声やナビ表示によって案内を行う。なお、自車両Ｍの位置を特定するための構成は、ナビゲーション装置５０とは独立して設けられてもよい。また、ナビゲーション装置５０は、例えば、ユーザの保有するスマートフォンやタブレット端末等の端末装置の機能によって実現されてもよい。この場合、端末装置と車両制御システム１００との間で、無線または有線による通信によって情報の送受信が行われる。
【００４２】
通信装置５５は、ネットワークＮＷを介して、サーバ装置３００と通信を行う通信インターフェース回路である。また、通信装置５５は、例えば、セルラー網やＷｉ−Ｆｉ網、Ｂｌｕｅｔｏｏｔｈ（登録商標）、ＤＳＲＣ（Dedicated Short Range Communication）などを利用した無線通信を行ってもよい。
【００４３】
車両センサ６０は、車速を検出する車速センサ、加速度を検出する加速度センサ、鉛直軸回りの角速度を検出するヨーレートセンサ、自車両Ｍの向きを検出する方位センサ等を含む。
【００４４】
図５は、ＨＭＩ７０の構成図である。ＨＭＩ７０は、例えば、運転操作系の構成と、非運転操作系の構成とを備える。これらの境界は明確なものでは無く、運転操作系の構成が非運転操作系の機能を備える（或いはその逆）ことがあってもよい。
【００４５】
ＨＭＩ７０は、運転操作系の構成として、例えば、アクセルペダル７１、アクセル開度センサ７２およびアクセルペダル反力出力装置７３と、ブレーキペダル７４およびブレーキ踏量センサ（或いはマスター圧センサなど）７５と、シフトレバー７６およびシフト位置センサ７７と、ステアリングホイール７８、ステアリング操舵角センサ７９およびステアリングトルクセンサ８０と、その他運転操作デバイス８１とを含む。
【００４６】
アクセルペダル７１は、車両乗員による加速指示（或いは戻し操作による減速指示）を受け付けるための操作子である。アクセル開度センサ７２は、アクセルペダル７１の踏み込み量を検出し、踏み込み量を示すアクセル開度信号を車両制御システム１００に出力する。なお、車両制御システム１００に出力するのに代えて、走行駆動力出力装置２００、ステアリング装置２１０、またはブレーキ装置２２０に直接出力することがあってもよい。以下に説明する他の運転操作系の構成についても同様である。アクセルペダル反力出力装置７３は、例えば車両制御システム１００からの指示に応じて、アクセルペダル７１に対して操作方向と反対向きの力（操作反力）を出力する。
【００４７】
ブレーキペダル７４は、車両乗員による減速指示を受け付けるための操作子である。ブレーキ踏量センサ７５は、ブレーキペダル７４の踏み込み量（或いは踏み込み力）を検出し、検出結果を示すブレーキ信号を車両制御システム１００に出力する。
【００４８】
シフトレバー７６は、車両乗員によるシフト段の変更指示を受け付けるための操作子である。シフト位置センサ７７は、車両乗員により指示されたシフト段を検出し、検出結果を示すシフト位置信号を車両制御システム１００に出力する。
【００４９】
ステアリングホイール７８は、車両乗員による旋回指示を受け付けるための操作子である。ステアリング操舵角センサ７９は、ステアリングホイール７８の操作角を検出し、検出結果を示すステアリング操舵角信号を車両制御システム１００に出力する。ステアリングトルクセンサ８０は、ステアリングホイール７８に加えられたトルクを検出し、検出結果を示すステアリングトルク信号を車両制御システム１００に出力する。
【００５０】
その他運転操作デバイス８１は、例えば、ジョイスティック、ボタン、ダイヤルスイッチ、ＧＵＩ（Graphical User Interface）スイッチなどである。その他運転操作デバイス８１は、加速指示、減速指示、旋回指示などを受け付け、車両制御システム１００に出力する。
【００５１】
ＨＭＩ７０は、非運転操作系の構成として、例えば、表示装置８２、スピーカ８３、接触操作検出装置８４およびコンテンツ再生装置８５と、各種操作スイッチ８６と、シート８８およびシート駆動装置８９と、ウインドウガラス９０およびウインドウ駆動装置９１と、車室内カメラ９２と、を含む。
【００５２】
表示装置８２は、例えば、インストルメントパネルの各部、助手席や後部座席に対向する任意の箇所などに取り付けられる、ＬＣＤ（Liquid Crystal Display）や有機ＥＬ（Electroluminescence）表示装置などである。また、表示装置８２は、フロントウインドシールドやその他のウインドウに画像を投影するＨＵＤ（Head Up Display）であってもよい。スピーカ８３は、音声を出力する。接触操作検出装置８４は、表示装置８２がタッチパネルである場合に、表示装置８２の表示画面における接触位置（タッチ位置）を検出して、車両制御システム１００に出力する。なお、表示装置８２がタッチパネルでない場合、接触操作検出装置８４は省略されてよい。
【００５３】
コンテンツ再生装置８５は、例えば、ＤＶＤ（Digital Versatile Disc）再生装置、ＣＤ（Compact Disc）再生装置、テレビジョン受信機、各種案内画像の生成装置などを含む。表示装置８２、スピーカ８３、接触操作検出装置８４およびコンテンツ再生装置８５は、一部または全部がナビゲーション装置５０と共通する構成であってもよい。
【００５４】
各種操作スイッチ８６は、車室内の任意の箇所に配置される。各種操作スイッチ８６には、運転支援の開始（或いは将来の開始）および停止を指示する運転支援切替スイッチ８７を含む。運転支援切替スイッチ８７は、ＧＵＩ（Graphical User Interface）スイッチ、機械式スイッチのいずれであってもよい。また、各種操作スイッチ８６は、シート駆動装置８９、ウインドウ駆動装置９１を駆動するためのスイッチを含んでもよい。
【００５５】
シート８８は、車両乗員が着座するシートである。シート駆動装置８９は、シート８８のリクライニング角、前後方向位置、ヨー角などを自在に駆動する。ウインドウガラス９０は、例えば各ドアに設けられる。ウインドウ駆動装置９１は、ウインドウガラス９０を開閉駆動する。
【００５６】
車室内カメラ９２は、ＣＣＤやＣＭＯＳ等の個体撮像素子を利用したデジタルカメラである。車室内カメラ９２は、バックミラーやステアリングボス部、インストルメントパネルなど、運転操作を行う車両乗員の少なくとも頭部を撮像可能な位置に取り付けられる。車室内カメラ９２は、例えば、周期的に繰り返し車両乗員を撮像する。
【００５７】
車両制御システム１００の説明に先立って、走行駆動力出力装置２００、ステアリング装置２１０、およびブレーキ装置２２０について説明する。
【００５８】
走行駆動力出力装置２００は、車両が走行するための走行駆動力（トルク）を駆動輪に出力する。走行駆動力出力装置２００は、例えば、自車両Ｍが内燃機関を動力源とした自動車である場合、エンジン、変速機、およびエンジンを制御するエンジンＥＣＵ（Electronic Control Unit）を備え、自車両Ｍが電動機を動力源とした電気自動車である場合、走行用モータおよび走行用モータを制御するモータＥＣＵを備え、自車両Ｍがハイブリッド自動車である場合、エンジン、変速機、およびエンジンＥＣＵと走行用モータおよびモータＥＣＵとを備える。走行駆動力出力装置２００がエンジンのみを含む場合、エンジンＥＣＵは、後述する走行制御部１６０から入力される情報に従って、エンジンのスロットル開度やシフト段等を調整する。走行駆動力出力装置２００が走行用モータのみを含む場合、モータＥＣＵは、走行制御部１６０から入力される情報に従って、走行用モータに与えるＰＷＭ信号のデューティ比を調整する。走行駆動力出力装置２００がエンジンおよび走行用モータを含む場合、エンジンＥＣＵおよびモータＥＣＵは、走行制御部１６０から入力される情報に従って、互いに協調して走行駆動力を制御する。
【００５９】
ステアリング装置２１０は、例えば、ステアリングＥＣＵと、電動モータとを備える。電動モータは、例えば、ラックアンドピニオン機構に力を作用させて転舵輪の向きを変更する。ステアリングＥＣＵは、車両制御システム１００から入力される情報、或いは入力されるステアリング操舵角またはステアリングトルクの情報に従って電動モータを駆動し、転舵輪の向きを変更させる。
【００６０】
ブレーキ装置２２０は、例えば、ブレーキキャリパーと、ブレーキキャリパーに油圧を伝達するシリンダと、シリンダに油圧を発生させる電動モータと、制動制御部とを備える電動サーボブレーキ装置である。電動サーボブレーキ装置の制動制御部は、走行制御部１６０から入力される情報に従って電動モータを制御し、制動操作に応じたブレーキトルクが各車輪に出力されるようにする。電動サーボブレーキ装置は、ブレーキペダルの操作によって発生させた油圧を、マスターシリンダを介してシリンダに伝達する機構をバックアップとして備えてよい。なお、ブレーキ装置２２０は、上記説明した電動サーボブレーキ装置に限らず、電子制御式油圧ブレーキ装置であってもよい。電子制御式油圧ブレーキ装置は、走行制御部１６０から入力される情報に従ってアクチュエータを制御して、マスターシリンダの油圧をシリンダに伝達する。また、ブレーキ装置２２０は、走行駆動力出力装置２００に含まれ得る走行用モータによる回生ブレーキを含んでもよい。
［車両制御システム］
以下、車両制御システム１００について説明する。車両制御システム１００は、例えば、一以上のプロセッサまたは同等の機能を有するハードウェアにより実現される。車両制御システム１００は、ＣＰＵなどのプロセッサ、記憶装置、および通信インターフェースが内部バスによって接続されたＥＣＵ（Electronic Control Unit）、或いはＭＰＵ（Micro-Processing Unit）などが組み合わされた構成であってよい。
【００６１】
図４に戻り、以下、運転支援が自動運転であるものとして説明する。車両制御システム１００は、例えば、目標車線決定部１１０と、運転支援制御部１２０と、走行制御部１６０と、記憶部１８０とを備える。運転支援制御部１２０は、例えば、運転支援モード制御部１３０と、自車位置認識部１４０と、外界認識部１４２と、制御計画生成部１４４と、軌道生成部１４６と、切替制御部１５０とを備える。目標車線決定部１１０、運転支援制御部１２０の各部、および走行制御部１６０のうち一部または全部は、プロセッサがプログラム（ソフトウェア）を実行することにより実現される。また、これらのうち一部または全部は、ＬＳＩ（Large Scale Integration）やＡＳＩＣ（Application Specific Integrated Circuit）等のハードウェアによって実現されてもよいし、ソフトウェアとハードウェアの組み合わせによって実現されてもよい。
【００６２】
記憶部１８０には、例えば、高精度地図情報１８２、目標車線情報１８４、制御計画情報１８６、環境情報１８８などの情報が格納される。記憶部１８０は、ＲＯＭやＲＡＭ、ＨＤＤ、フラッシュメモリ等で実現される。プロセッサが実行するプログラムは、予め記憶部１８０に格納されていてもよいし、車載インターネット設備等を介して外部装置からダウンロードされてもよい。また、プログラムは、そのプログラムを格納した可搬型記憶媒体が図示しないドライブ装置に装着されることで記憶部１８０にインストールされてもよい。また、車両制御システム１００は、複数のコンピュータ装置によって分散化されたものであってもよい。
【００６３】
目標車線決定部１１０は、例えば、ＭＰＵにより実現される。目標車線決定部１１０は、ナビゲーション装置５０から提供された経路を複数のブロックに分割し（例えば、車両進行方向に関して１００［ｍ］毎に分割し）、高精度地図情報１８２を参照してブロックごとに目標車線を決定する。目標車線決定部１１０は、例えば、左から何番目の車線を走行するといった決定を行う。目標車線決定部１１０は、例えば、経路において分岐箇所や合流箇所などが存在する場合、自車両Ｍが、分岐先に進行するための合理的な走行経路を走行できるように、目標車線を決定する。目標車線決定部１１０により決定された目標車線は、目標車線情報１８４として記憶部１８０に記憶される。
【００６４】
高精度地図情報１８２は、ナビゲーション装置５０が有するナビ地図よりも高精度な地図情報である。高精度地図情報１８２は、例えば、車線の中央の情報あるいは車線の境界の情報等を含んでいる。また、高精度地図情報１８２には、道路情報、交通規制情報、住所情報（住所・郵便番号）、施設情報、電話番号情報などが含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。交通規制情報には、工事や交通事故、渋滞等によって車線が封鎖されているといった情報が含まれる。
【００６５】
環境情報１８８は、自車両Ｍの周辺状態を表す情報のうち、運転支援における制御に変化を与える情報を含む。自車両Ｍが走行する道路に描かれた白線や、自車両Ｍに差し込む光の明るさは、運転支援における制御に変化を与える情報の一例である。環境情報１８８には、通信装置５５により受信された情報と、車両制御システム１００により検出された情報とが含まれる。
【００６６】
運転支援モード制御部１３０は、運転支援制御部１２０が運転支援の一つとして実施する自動運転のモードを決定する。本実施形態における自動運転のモードには、以下のモードが含まれる。なお、以下はあくまで一例であり、自動運転のモード数は任意に決定されてよい。
［モードＡ］
モードＡは、最も自動運転の度合が高いモードである。モードＡは、最も運転支援の度合が高いモードと言い換えることができる。モードＡが実施されている場合、複雑な合流制御など、全ての車両制御が自動的に行われるため、車両乗員は自車両Ｍの周辺や状態を監視する必要が無い。
［モードＢ］
モードＢは、モードＡの次に自動運転の度合が高いモードである。モードＢは、モードＡの次に運転支援の度合が高いモードと言い換えることができる。モードＢが実施されている場合、原則として全ての車両制御が自動的に行われるが、場面に応じて自車両Ｍの運転操作が車両乗員に委ねられる。このため、車両乗員は自車両Ｍの周辺や状態を監視している必要がある。
［モードＣ］
モードＣは、モードＢの次に自動運転の度合が高いモードである。モードＣは、モードＢの次に運転支援の度合が高いモードと言い換えることができる。モードＣが実施されている場合、車両乗員は、場面に応じた確認操作をＨＭＩ７０に対して行う必要がある。モードＣでは、例えば、車線変更のタイミングが車両乗員に通知され、車両乗員がＨＭＩ７０に対して車線変更を指示する操作を行った場合に、自動的な車線変更が行われる。このため、車両乗員は自車両Ｍの周辺や状態を監視している必要がある。
【００６７】
運転支援モード制御部１３０は、ＨＭＩ７０に対する車両乗員の操作、制御計画生成部１４４により決定されたイベント、軌道生成部１４６により決定された走行態様などに基づいて、自動運転のモードを決定する。自動運転のモードは、ＨＭＩ制御部１７０に通知される。また、自動運転のモードには、自車両Ｍの検知デバイスＤＤの性能等に応じた限界が設定されてもよい。例えば、検知デバイスＤＤの性能が低い場合には、モードＡは実施されないものとしてよい。いずれのモードにおいても、ＨＭＩ７０における運転操作系の構成に対する操作によって、手動運転モードに切り替えること（オーバーライド）は可能である。
【００６８】
運転支援制御部１２０の自車位置認識部１４０は、記憶部１８０に格納された高精度地図情報１８２と、ファインダ２０、レーダ３０、カメラ４０、ナビゲーション装置５０、または車両センサ６０から入力される情報とに基づいて、自車両Ｍが走行している車線（走行車線）、および、走行車線に対する自車両Ｍの相対位置を認識する。
【００６９】
自車位置認識部１４０は、例えば、高精度地図情報１８２から認識される道路区画線のパターン（例えば実線と破線の配列）と、カメラ４０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００７０】
図６は、自車位置認識部１４０により走行車線Ｌ１に対する自車両Ｍの相対位置が認識される様子を示す図である。自車位置認識部１４０は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置として認識する。なお、これに代えて、自車位置認識部１４０は、自車線Ｌ１のいずれかの側端部に対する自車両Ｍの基準点の位置などを、走行車線に対する自車両Ｍの相対位置として認識してもよい。自車位置認識部１４０により認識される自車両Ｍの相対位置は、目標車線決定部１１０に提供される。
【００７１】
外界認識部１４２は、ファインダ２０、レーダ３０、カメラ４０等から入力される情報に基づいて、周辺車両の位置、および速度、加速度等の状態を認識する。周辺車両とは、例えば、自車両Ｍの周辺を走行する車両であって、自車両Ｍと同じ方向に走行する車両である。周辺車両の位置は、他車両の重心やコーナー等の代表点で表されてもよいし、他車両の輪郭で表現された領域で表されてもよい。周辺車両の「状態」とは、上記各種機器の情報に基づいて把握される、周辺車両の加速度、車線変更をしているか否か（あるいは車線変更をしようとしているか否か）を含んでもよい。また、外界認識部１４２は、周辺車両に加えて、ガードレールや電柱、駐車車両、歩行者その他の物体の位置を認識してもよい。
【００７２】
制御計画生成部１４４は、運転支援制御部１２０における制御計画を生成する。運転支援制御部１２０における制御計画には、例えば、自動運転における行動計画、運転支援における制御条件、当該制御条件が成立した場合における自車両Ｍの目標軌道などが含まれる。
【００７３】
制御計画生成部１４４は、自動運転における行動計画として、自動運転のスタート地点、および／または自動運転の目的地を設定する。自動運転のスタート地点は、自車両Ｍの現在位置であってもよいし、自動運転を指示する操作がなされた地点でもよい。制御計画生成部１４４は、そのスタート地点と自動運転の目的地との間の区間において、自動運転における行動計画を生成する。なお、これに限らず、制御計画生成部１４４は、任意の区間について行動計画を生成してもよい。
【００７４】
自動運転における行動計画は、例えば、順次実行される複数のイベントで構成される。イベントには、例えば、自車両Ｍを減速させる減速イベントや、自車両Ｍを加速させる加速イベント、走行車線を逸脱しないように自車両Ｍを走行させるレーンキープイベント、走行車線を変更させる車線変更イベント、自車両Ｍに前走車両を追い越させる追い越しイベント、分岐ポイントにおいて所望の車線に変更させたり、現在の走行車線を逸脱しないように自車両Ｍを走行させたりする分岐イベント、本線に合流するための合流車線において自車両Ｍを加減速させ、走行車線を変更させる合流イベント、自動運転の開始地点で手動運転モードから自動運転モードに移行させたり、自動運転の終了予定地点で自動運転モードから手動運転モードに移行させたりするハンドオーバイベント等が含まれる。制御計画生成部１４４は、目標車線決定部１１０により決定された目標車線が切り替わる箇所において、車線変更イベント、分岐イベント、または合流イベントを設定する。制御計画生成部１４４によって生成された行動計画を示す情報は、制御計画情報１８６として記憶部１８０に格納される。
【００７５】
図７は、ある区間について生成された行動計画の一例を示す図である。図示するように、制御計画生成部１４４は、目標車線情報１８４が示す目標車線上を自車両Ｍが走行するために必要な行動計画を生成する。なお、制御計画生成部１４４は、自車両Ｍの状況変化に応じて、目標車線情報１８４に拘わらず、動的に行動計画を変更してもよい。例えば、制御計画生成部１４４は、車両走行中に外界認識部１４２によって認識された周辺車両の速度が閾値を超えたり、自車線に隣接する車線を走行する周辺車両の移動方向が自車線方向に向いたりした場合に、自車両Ｍが走行予定の運転区間に設定されたイベントを変更する。例えば、レーンキープイベントの後に車線変更イベントが実行されるようにイベントが設定されている場合において、外界認識部１４２の認識結果によって当該レーンキープイベント中に車線変更先の車線後方から車両が閾値以上の速度で進行してきたことが判明した場合、制御計画生成部１４４は、レーンキープイベントの次のイベントを、車線変更イベントから減速イベントやレーンキープイベント等に変更してよい。この結果、車両制御システム１００は、外界の状態に変化が生じた場合においても、安全に自車両Ｍを自動走行させることができる。
【００７６】
図８は、軌道生成部１４６は、例えば、走行態様決定部１４６Ａと、軌道候補生成部１４６Ｂと、評価・選択部１４６Ｃとを備える。
【００７７】
走行態様決定部１４６Ａは、例えば、レーンキープイベントを実施する際に、定速走行、追従走行、低速追従走行、減速走行、カーブ走行、障害物回避走行などのうちいずれかの走行態様を決定する。この場合、走行態様決定部１４６Ａは、自車両Ｍの前方に他車両が存在しない場合に、走行態様を定速走行に決定する。また、走行態様決定部１４６Ａは、前走車両に対して追従走行するような場合に、走行態様を追従走行に決定する。また、走行態様決定部１４６Ａは、渋滞場面などにおいて、走行態様を低速追従走行に決定する。また、走行態様決定部１４６Ａは、外界認識部１４２により前走車両の減速が認識された場合や、停車や駐車などのイベントを実施する場合に、走行態様を減速走行に決定する。また、走行態様決定部１４６Ａは、外界認識部１４２により自車両Ｍがカーブ路に差し掛かったことが認識された場合に、走行態様をカーブ走行に決定する。また、走行態様決定部１４６Ａは、外界認識部１４２により自車両Ｍの前方に障害物が認識された場合に、走行態様を障害物回避走行に決定する。また、走行態様決定部１４６Ａは、車線変更イベント、追い越しイベント、分岐イベント、合流イベント、ハンドオーバイベントなどを実施する場合に、それぞれのイベントに応じた走行態様を決定する。
【００７８】
軌道候補生成部１４６Ｂは、走行態様決定部１４６Ａにより決定された走行態様に基づいて、軌道の候補を生成する。図９は、軌道候補生成部１４６Ｂにより生成される軌道の候補の一例を示す図である。図９は、自車両Ｍが車線Ｌ１から車線Ｌ２に車線変更する場合に生成される軌道の候補を示している。
【００７９】
軌道生成部１４６Ｂは、図９に示すような軌道を、例えば、将来の所定時間ごとに、自車両Ｍの基準位置（例えば重心や後輪軸中心）が到達すべき目標位置（軌道点Ｋ）の集まりとして決定する。図１０は、軌道候補生成部１４６Ｂにより生成される軌道の候補を軌道点Ｋで表現した図である。軌道点Ｋの間隔が広いほど、自車両Ｍの速度は速くなり、軌道点Ｋの間隔が狭いほど、自車両Ｍの速度は遅くなる。従って、軌道候補生成部１４６Ｂは、加速したい場合には軌道点Ｋの間隔を徐々に広くし、減速したい場合は軌道点の間隔を徐々に狭くする。
【００８０】
このように、軌道点Ｋは速度成分を含むものであるため、軌道候補生成部１４６Ｂは、軌道点Ｋのそれぞれに対して目標速度を与える必要がある。目標速度は、走行態様決定部１４６Ａにより決定された走行態様に応じて決定される。
【００８１】
ここで、車線変更（分岐を含む）を行う場合の目標速度の決定手法について説明する。軌道候補生成部１４６Ｂは、まず、車線変更ターゲット位置（或いは合流ターゲット位置）を設定する。車線変更ターゲット位置は、周辺車両との相対位置として設定されるものであり、「どの周辺車両の間に車線変更するか」を決定するものである。軌道候補生成部１４６Ｂは、車線変更ターゲット位置を基準として３台の周辺車両に着目し、車線変更を行う場合の目標速度を決定する。図１１は、車線変更ターゲット位置ＴＡを示す図である。図中、Ｌ１は自車線を表し、Ｌ２は隣接車線を表している。ここで、自車両Ｍと同じ車線で、自車両Ｍの直前を走行する周辺車両を前走車両ｍＡ、車線変更ターゲット位置ＴＡの直前を走行する周辺車両を前方基準車両ｍＢ、車線変更ターゲット位置ＴＡの直後を走行する周辺車両を後方基準車両ｍＣと定義する。自車両Ｍは、車線変更ターゲット位置ＴＡの側方まで移動するために加減速を行う必要があるが、この際に前走車両ｍＡに追いついてしまうことを回避しなければならない。このため、軌道候補生成部１４６Ｂは、３台の周辺車両の将来の状態を予測し、各周辺車両と干渉しないように目標速度を決定する。
【００８２】
図１２は、３台の周辺車両の速度を一定と仮定した場合の速度生成モデルを示す図である。図中、ｍＡ、ｍＢおよびｍＣから延出する直線は、それぞれの周辺車両が定速走行したと仮定した場合の進行方向における変位を示している。自車両Ｍは、車線変更が完了するポイントＣＰにおいて、前方基準車両ｍＢと後方基準車両ｍＣとの間にあり、且つ、それ以前において前走車両ｍＡよりも後ろにいなければならない。このような制約の下、軌道候補生成部１４６Ｂは、車線変更が完了するまでの目標速度の時系列パターンを、複数導出する。そして、目標速度の時系列パターンをスプライン曲線等のモデルに適用することで、図９に示すような軌道の候補を複数導出する。なお、３台の周辺車両の運動パターンは、図１２に示すような定速度に限らず、定加速度、定ジャーク（躍度）を前提として予測されてもよい。
【００８３】
評価・選択部１４６Ｃは、軌道候補生成部１４６Ｂにより生成された軌道の候補に対して、例えば、計画性と安全性の二つの観点で評価を行い、走行制御部１６０に出力する軌道を選択する。計画性の観点からは、例えば、既に生成されたプラン（例えば行動計画）に対する追従性が高く、軌道の全長が短い場合に軌道が高く評価される。例えば、右方向に車線変更することが望まれる場合に、一旦左方向に車線変更して戻るといった軌道は、低い評価となる。安全性の観点からは、例えば、それぞれの軌道点において、自車両Ｍと物体（周辺車両等）との距離が遠く、加減速度や操舵角の変化量などが小さいほど高く評価される。
【００８４】
切替制御部１５０は、自動運転切替スイッチ８７から入力される信号に基づいて自動運転モードと手動運転モードとを相互に切り替える。また、切替制御部１５０は、ＨＭＩ７０における運転操作系の構成に対する加速、減速または操舵を指示する操作に基づいて、自動運転モードから手動運転モードに切り替える。例えば、切替制御部１５０は、ＨＭＩ７０における運転操作系の構成から入力された信号の示す操作量が閾値を超えた状態が、基準時間以上継続した場合に、自動運転モードから手動運転モードに切り替える（オーバーライド）。また、切替制御部１５０は、オーバーライドによる手動運転モードへの切り替えの後、所定時間の間、ＨＭＩ７０における運転操作系の構成に対する操作が検出されなかった場合に、自動運転モードに復帰させてもよい。
【００８５】
走行制御部１６０は、軌道生成部１４６によって生成された軌道を、予定の時刻通りに自車両Ｍが通過するように、走行駆動力出力装置２００、ステアリング装置２１０、およびブレーキ装置２２０を制御する。
【００８６】
以上が自動運転の説明であるが、運転支援は、自動運転以外の他の態様であってもよい。例えば、運転支援モード制御部１３０は、自動運転以外の運転支援における制御を決定してもよい。自動運転以外の運転支援における制御には、自車両Ｍが走行する車線を維持する運転操作を支援する制御を含んでもよい。この場合、運転支援モード制御部１３０は、運転支援の開始および終了の切替を制御し、目標車線決定部１１０、切替制御部１５０、高精度地図情報１８２および目標車線情報１８４は用いなくてもてもよい。
【００８７】
自動運転以外の運転支援における制御には、自車両Ｍが走行する道路から逸脱することを抑制する制御や、自車両Ｍの前方を走行する車両との車間距離を維持しながら走行速度を制御が含まれてよい。この場合、運転支援モード制御部１３０は、運転支援の開始および終了の切替を制御し、目標車線決定部１１０、自車位置認識部１４０、切替制御部１５０、高精度地図情報１８２および目標車線情報１８４は用いなくてもてもよい。
【００８８】
ＨＭＩ制御部１７０は、運転支援制御部１２０により自動運転のモードの情報が通知されると、自動運転のモードの種別に応じてＨＭＩ７０を制御する。
【００８９】
以下、第１の実施形態において環境情報に基づいて自車両Ｍの行動を変更することについて説明する。図１３は、第１の実施形態において、抽出部１３５を中心とした構成の一例を示す図である。車両制御システム１００は、上述した各部に加え、抽出部１３５、および通信制御部１９０を更に備える。
【００９０】
抽出部１３５は、ＣＰＵなどのプロセッサがプログラムを実行することにより実現される。抽出部１３５は、自車位置認識部１４０および外界認識部１４２のそれぞれから認識結果が供給される。
【００９１】
自車位置認識部１４０は、自車両Ｍの相対位置を認識している状態において、道路区画線の状態をトラッキングしている。抽出部１３５は、自車位置認識部１４０により認識されている道路区画線の状態が変化したことを判定する。抽出部１３５は、道路区画線の状態の変化として、例えば、道路区画線の有無、道路区画線の掠れ具合、道路区画線の種類などの状態が、継続して検出されている状態から他の状態に変化したことを判定する。
【００９２】
外界認識部１４２は、周辺車両に加えて、自車両Ｍの周辺状態を監視している。抽出部１３５は、例えば、ガードレールや電柱、自車両Ｍに差し込む日差しや夜間における工事現場などに設置されたスポット的に大きな照明器具から放射される光、道路上の落下物などの障害物、駐車車両の有無などの状態が、継続して検出されている状態から他の状態に変化したことを判定する。また、抽出部１３５は、カメラ４０から受信した画像情報の明るさの変化を認識することで、自車両Ｍに差し込む光の明るさを認識してもよい。
【００９３】
さらに、自車位置認識部１４０および外界認識部１４２は、検知デバイスＤＤから供給された信号の変化を監視し、信号の変化が所定の異常値を超えているか否かを判定する。異常値は、ファインダ２０、レーダ３０、およびカメラ４０ごとに設定される。自車位置認識部１４０および外界認識部１４２は、信号の変化が所定の異常値を超えている場合、当該信号を出力した検知デバイスＤＤが故障していると認識する。
【００９４】
抽出部１３５は、自車位置認識部１４０および外界認識部１４２により認識された情報のうち、環境の変化に関する環境情報を抽出する。環境の変化に関する環境情報は、自車両Ｍの周辺状態が、継続して検出されている状態から他の状態に変化したことを表す情報である。抽出部１３５は、例えば、自車両Ｍが走行している場合に、継続して検出されている道路区画線が称した場合に、継続して検出されている状態から他の状態に変化したと判定する。
【００９５】
抽出部１３５は、抽出した環境情報１８８を、記憶部１８０に記憶する。抽出部１３５は、自車両Ｍの周辺状態に、地点および検出日時を対応付けた環境情報１８８として記憶装置１８０に記憶する。なお、抽出部１３５は、自車両Ｍの周辺状態に、地点および検出日時を対応付けてよいが、これに限定されず、自車両Ｍの周辺状態に地点のみを対応付けてよい。
【００９６】
抽出部１３５は、例えば、道路区画線が検出されている状態から、道路区画線が検出されない状態に変化したという情報を、環境情報１８８として抽出する。また、抽出部１３５は、道路区画線が実線であるという状態から、道路区画線が点線であるという状態に変化したという情報を、環境情報１８８として抽出してもよい。さらに、抽出部１３５は、自車両Ｍに差し込む光の明るさが段階的に上昇した、または段階的に下降したという情報を、環境情報１８８として抽出してもよい。
【００９７】
抽出部１３５は、自車位置認識部１４０および外界認識部１４２により認識された自車両Ｍの周辺状態の情報のうち、環境に関係ない情報の変化を環境情報１８８から除外する。抽出部１３５は、検知デバイスＤＤの故障が検出された場合、故障が検出された検知デバイスＤＤにより検出された情報を、環境に関係ない情報として環境情報１８８から除外する。また、抽出部１３５は、例えばカメラ４０において光を入射するレンズが汚れたことによって変化した画像情報を、環境に関係ない情報として環境情報１８８から除外する。
【００９８】
通信制御部１９０は、ＣＰＵなどのプロセッサがプログラムを実行することにより実現される。通信制御部１９０は、抽出部１３５により抽出された環境情報１８８を、通信装置５５を用いてサーバ装置３００に送信する。また、通信制御部１９０は、通信装置５５を用いて、自車両Ｍが走行する道路に関連する環境情報をサーバ装置３００に要求する。通信制御部１９０は、要求に対してサーバ装置３００から返信され、通信装置５５により受信された環境情報を記憶部１８０に記憶させる。
【００９９】
車両制御システム１００は、通信装置５５が受信して記憶部１８０に記憶された環境情報１８８に基づいて、自車両Ｍの行動を変更するか否かを判定する。車両制御システム１００は、例えば、自車両Ｍの行動として、目標車線決定部１１０により決定された目標車線を変更する。また、車両制御システム１００は、自車両Ｍの行動として、制御計画生成部１４４により生成された行動計画を変更する。目標車線決定部１１０は、目標車線を変更する場合、記憶部１８０に記憶された目標車線情報１８４を書き換える。制御計画生成部１４４は、行動計画を変更する場合、記憶部１８０に記憶された制御計画情報１８６を書き換える。
【０１００】
図１４は、第１の実施形態において環境情報１８８をサーバ装置３００に送信する流れの一例を示すフローチャートである。まず、抽出部１３５は、自車位置認識部１４０および外界認識部１４２により認識された自車両Ｍの周辺状態の情報を取得する（ステップＳ１００）。抽出部１３５は、取得した自車両Ｍの周辺状態が変化したか否かを判定する（ステップＳ１０２）。抽出部１３５は、自車両Ｍの周辺状態が変化していない場合、ステップＳ１００に処理を戻す。
【０１０１】
抽出部１３５は、自車両Ｍの周辺状態が変化した場合、自車位置認識部１４０および外界認識部１４２により検知デバイスＤＤの故障があるか否かを判定する（ステップＳ１０４）。抽出部１３５は、変化した自車両Ｍの周辺状態を認識した元となった信号を検出した検知デバイスＤＤが故障したか否かを判定する。抽出部１３５は、例えば、道路区画線の状態が変化した場合、カメラ４０が故障したか否かを判定する。
【０１０２】
抽出部１３５は、検知デバイスＤＤが故障している場合、処理をステップＳ１００に戻す。すなわち、抽出部１３５は、自車両Ｍの周辺状態の変化が環境の変化に基づくものではないので、環境情報１８８から除外する。
【０１０３】
抽出部１３５は、検知デバイスＤＤが故障していない場合、自車両Ｍの周辺状態を環境情報１８８として記憶部１８０に記憶する（ステップＳ１０６）。図１５は、自車両Ｍが走行する道路の白線ＷＬ１〜ＷＬ４のうち、自車両Ｍが走行する車線の左側の白線ＷＬ１が消失している様子を示す図である。自車位置認識部１４０は、白線ＷＬ１が消失している区間（ＷＬ１＃）が存在する場合、道路区画線を認識できない。この場合、抽出部１３５は、道路区画線が消失したことを表す情報、地点、および検出日時の情報を環境情報１８８として記憶部１８０に記憶させる。
【０１０４】
通信制御部１９０は、記憶部１８０に記憶された情報のうち、抽出部１３５により記憶された環境情報１８８の送信タイミングが到来したか否かを判定する（ステップＳ１０８）。通信制御部１９０は、例えば、新たな環境情報１８８が記憶部１８０に記憶されたタイミングを、環境情報１８８の送信タイミングと判定する。また、通信制御部１９０は、車両制御システム１００の処理負荷が低いタイミングを、環境情報１８８の送信タイミングであると判定してもよい。通信制御部１９０は、環境情報１８８の送信タイミングが到来していない場合、ステップＳ１００に処理を戻す。
【０１０５】
通信制御部１９０は、環境情報１８８の送信タイミングが到来したと判定した場合、通信装置５５を用いて、未送信の環境情報１８８をサーバ装置３００に送信する（ステップＳ１１０）。
【０１０６】
以上説明したように、第１の実施形態の車両制御システム１００によれば、検知デバイスＤＤにより検出された自車両Ｍの周辺状態の情報のうち、環境の変化に関する環境情報を抽出し、抽出した環境情報をサーバ装置３００に送信する。この車両制御システム１００によれば、サーバ装置３００から他の自車両Ｍに環境情報１８８を送信することで、走行環境の変化に対応した自動運転を実行させることができる。
【０１０７】
また、車両制御システム１００によれば、自車位置認識部１４０および外界認識部１４２により検知デバイスＤＤの故障が検出された場合、故障が検出された検知デバイスＤＤにより検出された情報を、環境情報１８８から除外する。これにより、車両制御システム１００によれば、自車両Ｍの周辺状態の変化に関係ない情報を環境情報１８８としてサーバ装置３００に送信することを抑制することができる。
【０１０８】
以下、環境情報をサーバ装置３００に要求し、要求に対して返信され環境情報に基づいて、自動運転の計画を変更することについて説明する。図１６は、第１の実施形態において、サーバ装置３００から受信した環境情報に基づいて自車両Ｍの行動を変更する流れの一例を示すフローチャートである。
【０１０９】
まず、車両制御システム１００は、ナビゲーション装置５０により探索された経路に基づいて自車両Ｍの行動を決定する（ステップＳ２００）。車両制御システム１００は、自車両Ｍの行動として、制御計画生成部１４４により制御計画を生成すると共に、目標車線決定部１１０により自車両Ｍの目標車線を決定する。制御計画生成部１４４は、自動運転のスタート地点および／または自動運転の目的地を設定する。また、目標車線決定部１１０は、ナビゲーション装置５０により探索されて経路おける所定の区間毎に目標車線を決定する。
【０１１０】
次に、車両制御システム１００は、制御計画生成部１４４により自動運転を実行する区間が設定されているか否かを判定する（ステップＳ２０２）。通信制御部１９０は、自動運転を実行する区間が設定されていない場合、サーバ装置３００に環境情報の要求を送信することなく、処理を終了する。
【０１１１】
通信制御部１９０は、自動運転を実行する区間が設定されている場合、通信装置５５を用いて、サーバ装置３００に環境情報の要求を送信する（ステップＳ２０４）。通信制御部１９０は、例えば、自動運転を実行する区間を表す位置情報を要求に付加する。サーバ装置３００は、要求に付加された位置情報と環境情報３３２に含まれる地点とを比較する。サーバ装置３００は、要求に付加された位置情報に含まれる地点に対応する環境情報を抽出して、車両制御システム１００に返信する。
【０１１２】
通信制御部１９０は、要求に対して返信された環境情報を受信したか否かを判定する（ステップＳ２０６）。通信制御部１９０は、環境情報を受信できない場合、処理を終了する。通信制御部１９０は、環境情報を受信した場合、受信した環境情報が所定条件を満たすか否かを判定する（ステップＳ２０８）。通信制御部１９０は、例えば、サーバ装置３００における環境情報３３２の更新回数が閾値以上である場合に、受信した環境情報が所定条件を満たすと判定する。また、通信制御部１９０は、例えば、サーバ装置３００における環境情報３３２の検出時刻からの経過時間が閾値未満である場合に、受信した環境情報が所定条件を満たすと判定してもよい。通信制御部１９０は、受信した環境情報に付加された更新回数または検出日時に基づいて受信した環境情報が所定条件を満たすと判定する。通信制御部１９０は、受信した環境情報が所定条件を満たさない場合、処理を終了する。
【０１１３】
通信制御部１９０は、受信した環境情報が所定条件を満たすと判定した場合、受信した環境情報と、記憶部１８０に記憶している環境情報１８８とを照合する（ステップＳ２１０）。通信制御部１９０は、受信した環境情報に対応する環境情報１８８が記憶部１８０に記憶されているか否かを判定する（ステップＳ２１２）。通信制御部１９０は、例えば、受信した環境情報と記憶している環境情報１８８との双方が、所定期間内（例えば数時間以内）に同じ地点で道路区画線の消失を表す環境情報である場合、受信した環境情報に対応する環境情報１８８が記憶部１８０に記憶されていると判定する。
【０１１４】
通信制御部１９０は、受信した環境情報に対応する環境情報１８８が記憶部１８０に記憶されていると判定した場合、記憶している環境情報１８８に基づいて自車両Ｍの行動を変更する（ステップＳ２１４）。通信制御部１９０は、受信した環境情報に対応する環境情報１８８が記憶部１８０に記憶されていないと判定した場合、受信した環境情報１８８に基づいて自車両Ｍの行動を変更する（ステップＳ２１６）。
【０１１５】
車両制御システム１００は、例えば、以下の処理を行うことで、自車両Ｍの行動を変更する。制御計画生成部１４４は、例えば、道路区画線が消失している場合には、道路区画線の消失に関係なく自動運転を継続する。この場合、制御計画生成部１４４は、動的に制御計画を変更する動作を禁止する。また、目標車線決定部１１０は、道路区画線が消失している場合には、道路区画線が消失している車線以外の車線を目標車線に変更する。この場合、目標車線決定部１１０は、目標車線情報１８４を変更後の目標車線に書き換える。また、制御計画生成部１４４は、例えば、光が差し込む方向に向かって走行する場合、運転支援の度合いを下げないように運転支援を継続する。
【０１１６】
以上説明したように、第１の実施形態の車両制御システム１００によれば、サーバ装置３００から受信した環境情報に基づいて自車両Ｍの行動を変更することができる。これにより、車両制御システム１００によれば、走行環境の変化に対応した運転支援を実行させることができる。
【０１１７】
また、この車両制御システム１００によれば、受信した環境情報が所定条件を満たす場合に、受信した環境情報に基づいて運転支援を実行するので、複数回に亘り検出されている信頼性の高い環境情報に基づいて運転支援を実行することができる。これにより、車両制御システム１００によれば、既に変更されている可能性が高い環境に対応した運転支援を実行することができる。例えば、白線が掠れて車両制御システム１００により認識できない場合、多数の自車両Ｍにより白線の掠れが検出されて、サーバ装置３００に複数回に亘り環境情報が更新される可能性が高い。これに対し、車両制御システム１００は、更新回数が閾値を超えている環境情報に基づいて自車両Ｍの行動を変更するので、変更されていない環境に基づいて自車両Ｍの制御計画を変更することを抑制することができる。
【０１１８】
また、車両制御システム１００によれば、環境情報の検出時刻から所定期間内の環境情報を用いて自車両Ｍの行動を変更することで、数時間または数日などの短期間で変更する環境に対応した運転支援を実行することができ、鮮度の高く信頼性の高い情報を用いて運転支援を実行することができる。
【０１１９】
さらに、車両制御システム１００によれば、サーバ装置３００から受信した環境情報が記憶部１８０に記憶している環境情報に記憶されている場合、記憶部１８０に記憶されている環境情報を優先して自車両Ｍの行動を変更する。これにより、車両制御システム１００によれば、自車両Ｍにおいて抽出された情報を用いて自車両Ｍの制御計画を変更することができる。この結果、車両制御システム１００は、自車両Ｍの運転支援に影響を与える可能性が高い情報に基づいて自車両Ｍの行動を変更することができる。
【０１２０】
（第２の実施形態）
以下、第２の実施形態の車両制御システム１００について説明する。第２の実施形態の車両制御システム１００は、記憶部１８０に記憶した環境情報１８８が所定条件を満たす場合に自車両Ｍの制御計画を変更する点で、第１の実施形態とは異なる。図１７は、第２の実施形態の車両制御システム１００の処理の流れの一例を示すフローチャートである。
【０１２１】
まず、車両制御システム１００は、ナビゲーション装置５０により探索された経路に基づいて自車両Ｍの行動を決定する（ステップＳ３００）。運転支援制御部１２０は、自車両Ｍの制御計画として、制御計画生成部１４４により制御計画を生成する。また、目標車線決定部１１０は、自車両Ｍの目標車線を決定する。
【０１２２】
次に、運転支援制御部１２０は、制御計画生成部１４４により自動運転を実行する区間が設定されているか否かを判定する（ステップＳ３０２）。運転支援制御部１２０は、運転支援を実行する区間が設定されていない場合、処理を終了する。
【０１２３】
運転支援制御部１２０は、運転支援を実行する区間が設定されている場合、記憶部１８０に記憶された環境情報１８８のうち、運転支援の区間に含まれる地点の環境情報１８８を検索する（ステップＳ３０４）。運転支援制御部１２０は、検索した結果、運転支援の区間に含まれる地点の環境情報１８８があるか否かを判定する（ステップＳ３０６）。運転支援制御部１２０は、運転支援の区間に含まれる地点の環境情報１８８がない場合、処理を終了する。
【０１２４】
運転支援制御部１２０は、運転支援の区間に含まれる地点の環境情報１８８がある場合、環境情報１８８が所定条件を満たすか否かを判定する（ステップＳ３０８）。運転支援制御部１２０は、例えば、環境情報１８８の抽出回数が閾値以上である場合に、検索した環境情報１８８が所定条件を満たすと判定する。また、運転支援制御部１２０は、例えば、環境情報１８８の検出時刻からの経過時間が閾値未満である場合に、検索した環境情報１８８が所定条件を満たすと判定してもよい。運転支援制御部１２０は、検索した環境情報１８８が所定条件を満たさない場合、処理を終了する。
【０１２５】
さらに、運転支援制御部１２０は、自車両Ｍが走行する道路に関連する環境情報１８８の検出時刻からの経過時間についての第１の閾値を、自車両Ｍの外部から差し込む光の明るさに関連する環境情報１８８の検出時刻からの経過時間についての第２の閾値によりも大きく設定してもよい。具体的には、通信制御部１９０は、第１の閾値を１週間に設定し、第２の閾値を６時間に設定する。これにより、運転支援制御部１２０は、道路区画線の掠れを表す環境情報１８８の検出時刻が１週間以内である場合、受信した道路区画線の掠れを表す情報が所定条件を満たすと判定する。また、運転支援制御部１２０は、光の明るさに関連する環境情報１８８の検出時刻が１２時間前である場合には、所定条件を満たさないと判定する。
【０１２６】
運転支援制御部１２０は、検索した環境情報１８８が所定条件を満たすと判定した場合、検索した環境情報１８８に基づいて自車両Ｍの制御計画を変更する（ステップＳ３１０）。運転支援制御部１２０は、検索した環境情報１８８に基づいて、制御計画の変更、または目標車線の変更を実行する。
【０１２７】
以上説明したように、第２の実施形態の車両制御システム１００によれば、記憶部１８０に記憶した環境情報１８８に基づいて自車両Ｍの制御計画を変更することができる。これにより、車両制御システム１００によれば、走行環境の変化に対応した運転支援を実行させることができる。
【０１２８】
また、この車両制御システム１００によれば、受信した環境情報が所定条件を満たす場合に、受信した環境情報に基づいて運転支援を実行するので、既に変更されている可能性が高い環境に対応した運転支援を実行することができる。また、車両制御システム１００によれば、数時間または数日などの短期間で変更する環境に対応した運転支援を実行することができ、鮮度の高い情報を用いて運転支援を実行することができる。具体的には、車両制御システム１００によれば、道路に関連する環境情報の検出時刻からの経過時間についての第１の閾値を、光の明るさに関連する環境情報の検出時刻からの経過時間についての第２の閾値を大きく設定することができる。
【０１２９】
（第３の実施形態）
以下、第３の実施形態の車両制御システム１００について説明する。第３の実施形態の車両制御システム１００は、他車両と車車間通信を行うことで環境情報の通信をする点で、上述した実施形態とは異なる。
【０１３０】
図１８は、第３の実施形態において、先行車両ｍ１から後続車両ｍ２に環境情報ＥＩを送信する様子を示す図である。図１９は、先行車両ｍ１の車両制御システム１００における処理の流れの一例を示すフローチャートである。図２０は、後続車両ｍ２の車両制御システム１００における処理の流れの一例を示すフローチャートである。
【０１３１】
先行車両ｍ１および後続車両ｍ２には、第１の実施形態における車両制御システム１００がそれぞれ搭載されている。第３の実施形態において、車両制御システム１００は、図１９の処理および図２０の処理を並行して実施してもよいが、これに限定されず、図１９の処理または図２０の処理のいずれか一方を実施してもよい。
【０１３２】
先行車両ｍ１の抽出部１３５は、自車位置認識部１４０および外界認識部１４２により認識された先行車両ｍ１の周辺状態の情報を取得する（ステップＳ４００）。抽出部１３５は、取得した先行車両ｍ１の周辺状態が変化したか否かを判定する（ステップＳ４０２）。抽出部１３５は、例えば、図１８に示すように、左側の白線ＷＬ１１の一部の区間（ＷＬ１１＃）が消失している場合、先行車両ｍ１の周辺状態が変化したと判定する。抽出部１３５は、先行車両ｍ１の周辺状態が変化していない場合、ステップＳ４００に処理を戻す。
【０１３３】
抽出部１３５は、先行車両ｍ１の周辺状態が変化した場合、自車位置認識部１４０および外界認識部１４２により検知デバイスＤＤの故障があるか否かを判定する（ステップＳ４０４）。抽出部１３５は、変化した先行車両ｍ１の周辺状態を認識した元となった信号を検出した検知デバイスＤＤが故障したか否かを判定する。抽出部１３５は、例えば、道路区画線の状態が変化した場合、カメラ４０が故障したか否かを判定する。
【０１３４】
抽出部１３５は、検知デバイスＤＤが故障している場合、処理をステップＳ４００に戻す。すなわち、抽出部１３５は、先行車両ｍ１の周辺状態の変化が環境の変化に基づくものではないので、環境情報を送信しない。抽出部１３５は、検知デバイスＤＤが故障していない場合、通信装置５５を用いて、環境情報を後続車両ｍ２に送信する（ステップＳ４０６）。
【０１３５】
一方、後続車両ｍ２の車両制御システム１００は、図２０に示すように、先行車両ｍ１から環境情報を受信したか否かを判定する（ステップＳ５００）。後続車両ｍ２の車両制御システム１００は、先行車両ｍ１から環境情報を受信した場合、受信した環境情報に基づいて、自車両Ｍの制御計画を変更する（ステップＳ５０２）。
【０１３６】
以上説明したように、第３の実施形態の車両制御システム１００によれば、先行車両ｍ１から受信した環境情報に基づいて後続車両ｍ２の制御計画を変更することができる。これにより、第３の実施形態によれば、走行環境の変化に対応した運転支援を実行させることができる。
【０１３７】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１３８】
２０…ファインダ、３０…レーダ、４０…カメラ、５０…ナビゲーション装置、５５…通信装置、１００…車両制御システム、１１０…目標車線決定部、１２０…運転支援制御部、１３０…運転支援モード制御部、１３５…抽出部、１４０…自車位置認識部、１４２…外界認識部、１４４…制御計画生成部、１５０…切替制御部、１６０…走行制御部、１８０…記憶部、１８２…高精度地図情報、１８４…目標車線情報、１８６…制御計画情報、１８８…環境情報、１９０…通信制御部、３００…サーバ装置、３１０…サーバ制御部、３２０…サーバ通信部、３３０…サーバ記憶部、３３２…環境情報
【図１】
2017179209.tif 000003
【図２】
2017179209.tif 000004
【図３】
2017179209.tif 000005
【図４】
2017179209.tif 000006
【図５】
2017179209.tif 000007
【図６】
2017179209.tif 000008
【図７】
2017179209.tif 000009
【図８】
2017179209.tif 000010
【図９】
2017179209.tif 000011
【図１０】
2017179209.tif 000012
【図１１】
2017179209.tif 000013
【図１２】
2017179209.tif 000014
【図１３】
2017179209.tif 000015
【図１４】
2017179209.tif 000016
【図１５】
2017179209.tif 000017
【図１６】
2017179209.tif 000018
【図１７】
2017179209.tif 000019
【図１８】
2017179209.tif 000020
【図１９】
2017179209.tif 000021
【図２０】
2017179209.tif 000022
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
外部装置と通信する通信部と、
自車両の周辺状態を検出する検出部と、
前記検出部により検出された前記自車両の周辺状態に基づいて、前記自車両の速度制御または操舵制御において少なくとも一部を自動的に行う運転支援を実行する運転支援制御部と、
前記検出部により検出された前記自車両の周辺状態の情報のうち、前記運転支援における制御の継続に変化を与える環境情報を抽出する抽出部と、
前記抽出部により抽出された前記環境情報を、前記通信部を用いて外部装置に送信する通信制御部と、
を備える、車両制御システム。
【請求項２】
前記通信制御部は、前記通信部を用いて、前記自車両が走行する道路に関連する前記環境情報を前記外部装置に要求し、
前記運転支援制御部は、前記通信部により前記要求に対して返信され前記通信部により受信された環境情報に基づいて、前記運転支援の制御計画を変更する、
請求項１に記載の車両制御システム。
【請求項３】
前記外部装置は、複数の車両から前記環境情報を受信し、
前記通信部は、前記外部装置から前記環境情報および前記環境情報の更新回数を受信し、
前記運転支援制御部は、前記通信部により受信された前記環境情報の更新回数が閾値以上である場合に前記環境情報に基づいて前記運転支援を実行し、前記通信部により受信された前記環境情報の更新回数が閾値未満である場合に前記環境情報を用いることなしに前記自車両の周辺情報に基づいて前記運転支援を実行する、
請求項２に記載の車両制御システム。
【請求項４】
前記通信部は、前記外部装置から前記環境情報および前記環境情報の検出時刻を受信し、
前記運転支援制御部は、前記通信部により受信された環境情報の検出時刻からの経過時間が閾値未満である場合に前記環境情報に基づいて前記運転支援を実行し、前記通信部により受信された環境情報の検出時刻からの経過時間が閾値以上である場合に前記環境情報を用いることなしに前記自車両の周辺情報に基づいて前記運転支援を実行する、
請求項２に記載の車両制御システム。
【請求項５】
前記検出部の故障を検出する故障検出部を更に備え、
前記抽出部は、前記故障検出部により前記検出部の故障が検出された場合、故障が検出された前記検出部により検出された情報を、前記環境情報から除外する、
請求項１に記載の車両制御システム。
【請求項６】
前記抽出部は、前記環境情報の抽出回数を計数し、
前記運転支援制御部は、前記抽出部により計数された前記環境情報の抽出回数が閾値以上である場合に前記環境情報に基づいて前記運転支援を実行し、前記抽出部により計数された環境情報の抽出回数が閾値未満である場合に前記環境情報を用いることなしに前記自車両の周辺情報に基づいて前記運転支援を実行する、
請求項１に記載の車両制御システム。
【請求項７】
前記運転支援制御部は、前記環境情報の検出時刻からの経過時間が閾値未満である場合に前記環境情報に基づいて前記運転支援を実行し、前記環境情報の検出時刻からの経過時間が閾値以上である場合に前記環境情報を用いることなしに前記自車両の周辺情報に基づいて前記運転支援を実行する、
請求項１に記載の車両制御システム。
【請求項８】
前記外部装置は、他車両に搭載され、
前記通信制御部は、前記自車両に後続して走行する後続車両に前記環境情報を送信する、
請求項１に記載の車両制御システム。
【請求項９】
前記通信制御部は、前記自車両よりも先行して走行する先行車両から環境情報を受信し、
前記運転支援制御部は、前記先行車両から受信した環境情報に基づいて、前記運転支援を実行する、
請求項１に記載の車両制御システム。
【請求項１０】
前記検出部は、自車両周辺の道路を撮像する撮像部を含み、
前記運転支援制御部は、前記撮像部により撮像された画像に基づく道路区画線の有無に基づいて前記運転支援を行い、
前記抽出部は、前記撮像部により撮像された画像に基づいて道路区画線の状態を判定し、前記環境情報として前記道路区画線の状態を抽出する、
請求項１に記載の車両制御システム。
【請求項１１】
前記検出部は、前記自車両の外部から差し込む光の明るさを検出し、
前記運転支援制御部は、前記検出部により検出された前記光の明るさに基づき、前記運転支援を実行し、
前記抽出部は、前記環境情報として前記光の明るさの情報を抽出する、
請求項１に記載の車両制御システム。
【請求項１２】
前記運転支援制御部は、前記自車両が走行する道路に関連する前記環境情報の検出時刻からの経過時間についての第１の閾値を、前記自車両の外部から差し込む光の明るさに関連する前記環境情報の検出時刻からの経過時間についての第２の閾値よりも大きく設定する、
請求項７に記載の車両制御システム。
【請求項１３】
車載コンピュータが、
自車両の周辺状態を検出する検出部により検出された前記自車両の周辺状態に基づいて、前記自車両の速度制御または操舵制御において少なくとも一部を自動的に行う運転支援を実行し、
前記検出部により検出された前記自車両の周辺状態の情報のうち、前記運転支援における制御の継続に変化を与える環境情報を抽出し、
抽出した前記環境情報を、外部装置に送信する、
車両制御方法。
【請求項１４】
車載コンピュータに、
自車両の周辺状態を検出する検出部により検出された前記自車両の周辺状態に基づいて、前記自車両の速度制御または操舵制御において少なくとも一部を自動的に行う運転支援を実行させ、
前記検出部により検出された前記自車両の周辺状態の情報のうち、前記運転支援における制御の継続に変化を与える環境情報を抽出させ、
抽出した前記環境情報を、外部装置に送信させる、
プログラム。
【国際調査報告】
2017179209.tif 000023
2017179209.tif 000024
2017179209.tif 000025
2017179209.tif 000026